(57)【要約】【課題】情報記録媒体を利用して機能設定を行う場合に、ユーザが容易に所望する機能に対応する情報記録媒体を認識できるようにする。【解決手段】画像形成装置１００の上面部１００ａには凹部１０１が設けられている。この凹部１０１の裏面側には情報記録媒体１２０に記録された情報を非接触で読み取る読取部が設けられている。情報記録媒体１２０がかかる凹部１０１内に載置されると、載置された情報記録媒体１２０に記録された情報が読取部によって読み取られ、かかる情報によって特定される機能が実行されるよう設定される。そして、情報記録媒体１２０の表面部には当該情報記録媒体１２０によって設定できる機能名等が機能表示欄１２１ｂに記述されている。【選択図】      図３
2004334043.tif 000002
【特許請求の範囲】
【請求項１】
機能設定に関する機能情報を記録した情報記録媒体であって、記録している機能情報によって特定される機能または当該機能が属する機能群ごとに異なる外観の情報記録媒体と、
前記情報記録媒体に記録されている機能情報を読み取る読取手段と、
前記読取手段によって読み取られた機能情報によって特定される機能が実行されるよう設定する手段であって、前記情報記録媒体が前記読取手段による読取可能な位置にある場合に当該情報記録媒体に記録された機能情報によって特定される機能が実行されるよう設定し、前記情報記録媒体が前記読取可能な位置にない場合には当該情報記録媒体に記録された機能情報によって特定される機能が実行されないよう設定する設定手段と
を具備することを特徴とする機能設定装置。
【請求項２】
前記読取手段による読取可能な位置であり、かつ前記情報記録媒体の外観をユーザが視認できる位置に保持する保持手段をさらに具備する
ことを特徴とする請求項１に記載の機能設定装置。
【請求項３】
前記情報記録媒体の外面部には、記録している機能情報によって特定される機能または当該機能が属する機能群を識別するための情報が記述されている
ことを特徴とする請求項１または２に記載の機能設定装置。
【請求項４】
前記情報記録媒体は、記録している機能情報によって特定される機能または当該機能が属する機能群ごとに異なる形状である
ことを特徴とする請求項１または２に記載の機能設定装置。
【請求項５】
前記情報記録媒体は、記録している機能情報によって特定される機能または当該機能が属する機能群ごとに異なる色に着色された部分を有する
ことを特徴とする請求項１または２に記載の機能設定装置。
【請求項６】
機能設定に関する機能情報を記録した情報記録媒体であって、記録している機能情報によって特定される機能または当該機能が属する機能群ごとに異なる色に着色された部分を有する情報記録媒体と、
前記情報記録媒体に記録されている機能情報を読み取る読取手段と、
前記読取手段によって読み取られた機能情報に基づいて機能設定を行う設定手段と
を具備することを特徴とする機能設定装置。
【請求項７】
機能設定に関する機能情報を記録した情報記録媒体であって、記録している機能情報によって特定される機能が属する機能群ごとに異なる形状であり、かつ機能ごとに異なる色に着色された部分を有する情報記録媒体と、
前記情報記録媒体に記録されている機能情報を読み取る読取手段と、
前記読取手段によって読み取られた機能情報に基づいて機能設定を行う設定手段と
を具備することを特徴とする機能設定装置。
【請求項８】
機能設定に関する機能情報を記録した情報記録媒体であって、記録している機能情報によって特定される機能が属する機能群ごとに異なる色に着色された部分を有し、かつ機能ごとに異なる形状の情報記録媒体と、
前記情報記録媒体に記録されている機能情報を読み取る読取手段と、
前記読取手段によって読み取られた機能情報に基づいて機能設定を行う設定手段と
を具備することを特徴とする機能設定装置。
【請求項９】
機能設定に関する機能情報を記録した情報記録媒体であって、記録している機能情報によって特定される機能または当該機能が属する機能群ごとに異なる外観の情報記録媒体と、
画像形成動作、画像形成に関連する動作または両者を実行する動作手段と、
前記情報記録媒体に記録されている機能情報を読み取る読取手段と、
前記読取手段によって読み取られた機能情報によって特定される機能を含む動作が前記動作手段によって実行されるよう設定する手段であって、前記情報記録媒体が前記読取手段による読取可能な位置にある場合に当該情報記録媒体に記録された機能情報によって特定される機能が実行されるよう設定し、前記情報記録媒体が前記読取可能な位置にない場合には当該情報記録媒体に記録された機能情報によって特定される機能が実行されないよう設定する設定手段と
を具備することを特徴とする画像形成装置。
【請求項１０】
機能設定に関する機能情報を記録した情報記録媒体であって、記録している機能情報によって特定される機能または当該機能が属する機能群ごとに異なる色に着色された部分を有する情報記録媒体と、
画像形成動作、画像形成に関連する動作または両者を実行する動作手段と、
前記情報記録媒体に記録されている機能情報を読み取る読取手段と、
前記読取手段によって読み取られた機能情報によって特定される機能を含む動作が前記動作手段によって実行されるよう設定する設定手段と
ことを特徴とする画像形成装置。
【請求項１１】
機能設定に関する機能情報を記録した情報記録媒体であって、記録している機能情報によって特定される機能が属する機能群ごとに異なる形状であり、かつ機能ごとに異なる色に着色された部分を有する情報記録媒体と、
画像形成動作、画像形成に関連する動作または両者を実行する動作手段と、
前記情報記録媒体に記録されている機能情報を読み取る読取手段と、
前記読取手段によって読み取られた機能情報によって特定される機能を含む動作が前記動作手段によって実行されるよう設定する設定手段と
を具備することを特徴とする画像形成装置。
【請求項１２】
機能設定に関する機能情報を記録した情報記録媒体であって、記録している機能情報によって特定される機能が属する機能群ごとに異なる色に着色された部分を有し、かつ機能ごとに異なる形状の情報記録媒体と、
画像形成動作、画像形成に関連する動作または両者を実行する動作手段と、
前記情報記録媒体に記録されている機能情報を読み取る読取手段と、
前記読取手段によって読み取られた機能情報によって特定される機能を含む動作が前記動作手段によって実行されるよう設定する設定手段と
を具備することを特徴とする画像形成装置。
【請求項１３】
機能設定に関する機能情報であって、機能設定装置の読取手段によって読取可能な機能情報を記録した情報記録媒体であって、
記録している機能情報によって特定される機能または当該機能が属する機能群ごとに異なる色に着色された部分を有する基材部を備える
ことを特徴とする情報記録媒体。
【請求項１４】
機能設定に関する機能情報であって、機能設定装置の読取手段によって読取可能な機能情報を記録した情報記録媒体であって、
記録している機能情報によって特定される機能が属する機能群ごとに異なる形状であり、かつ機能ごとに異なる色に着色された部分を有する基材部を備える
ことを特徴とする情報記録媒体。
【請求項１５】
機能設定に関する機能情報であって、機能設定装置の読取手段によって読取可能な機能情報を記録した情報記録媒体であって、
記録している機能情報によって特定される機能が属する機能群ごとに異なる色に着色された部分を有し、かつ機能ごとに異なる形状の基材部を備える
ことを特徴とする情報記録媒体。
【発明の詳細な説明】
【０００１】
【発明の属する技術分野】
この発明は、情報記録媒体を利用して機能設定を行うことができる機能設定装置、画像形成装置および情報記録媒体に関する。
【０００２】
【従来の技術】
複写機などの画像形成装置においては、ユーザは、モノクロ印刷またはカラー印刷かの設定、拡大または縮小、印刷部数などの複数の機能設定を行って複写動作を行う。また、ファクシミリ装置においても、画像の鮮明さ等を設定した上で送信先を設定してファクシミリ送信動作を実行するようになっている。
【０００３】
このように画像形成装置や、その他の多機能を含む動作を実行する装置などでは、ユーザは複数の機能を設定した上でこれらの機能を含む動作が実行されるようになっている。従来、このような複数の機能設定は、ユーザが操作パネル上に設けられたボタンなどを操作したり、タッチパネルを操作したりするといったことにより行われていた。
【０００４】
しかしながら、近年の複写機などは、多数の機能設定が可能となっており、これらの機能を操作パネル上に設けられたボタン等で設定する構成では多数のボタンを用意する必要があり、操作パネルのスペースの増加や構成の複雑化を招くとともに、操作も煩雑である。また、タッチパネルなどのＧＵＩ（Ｇｒａｐｈｉｃａｌ  Ｕｓｅｒ  Ｉｎｔｅｒｆａｃｅ）を利用した場合であっても、多数の機能を設定するには多くの操作が必要となってしまう。
【０００５】
このような操作の煩雑さ等を抑制するため、予め設定すべき機能に関する情報を記録したＩＣカードなどの情報記録媒体を用い、機能実行装置がこれに記録された機能に関する情報を読み取離、読み取った機能に関する情報にしたがった動作を実行するといった方法を採用することが考えられる。
【０００６】
このようなＩＣカードに記録された情報を利用して機能設定を行う場合など、ＩＣカードを用途に応じて区別する必要がある場合、各々のＩＣカードがどのような機能を持つものであるかをユーザが判別できるようにすることが好ましい。
【０００７】
そして、ＩＣカードの機能をユーザに容易に理解させるための技術としては、ＩＣカードに記録されているアプリケーションごとに異なる形状の凹凸等をカード基材等に設けるといった技術が提案されている（例えば、特許文献１参照）。
【０００８】
【特許文献１】
特開２００１−３５７３６８号公報
【０００９】
【発明が解決しようとする課題】
しかしながら、ユーザはＩＣカードに設けられた凹凸に触れてどのような機能を有するＩＣカードであるかを認識することができるが、触れないと認識できない場合がある。したがって、多数のカードがある場合にはそれぞれに触れて所望のカードを選択するといった煩雑な作業を行わなくてはならず、またＩＣカードがある位置にセットされている状態ではそのＩＣカードの有する機能が実現されるといった状況にある場合において、どの機能のカードがセットされているかを確認するためには、セット状態にあるＩＣカードに触れなければならず、煩雑であり、かつカードのセット状態に悪影響を与えてしまうこともありうる。
【００１０】
この発明は上記に鑑みてなされたもので、情報記録媒体を利用して機能設定を行う場合に、ユーザが容易に所望する機能に対応する情報記録媒体を認識できるようにする機能設定装置、画像形成装置および情報記録媒体を得ることを目的とする。
【００１１】
【課題を解決するための手段】
上記目的を達成するため、請求項１にかかる発明は、機能設定に関する機能情報を記録した情報記録媒体であって、記録している機能情報によって特定される機能または当該機能が属する機能群ごとに異なる外観の情報記録媒体と、前記情報記録媒体に記録されている機能情報を読み取る読取手段と、前記読取手段によって読み取られた機能情報によって特定される機能が実行されるよう設定する手段であって、前記情報記録媒体が前記読取手段による読取可能な位置にある場合に当該情報記録媒体に記録された機能情報によって特定される機能が実行されるよう設定し、前記情報記録媒体が前記読取可能な位置にない場合には当該情報記録媒体に記録された機能情報によって特定される機能が実行されないよう設定する設定手段とを具備することを特徴とする機能設定装置である。
【００１２】
請求項１にかかる発明によれば、読取手段によって読取可能な位置に情報記録媒体がある場合、その情報記録媒体によって記録された機能情報が読み取られ、読み取られた機能情報によって特定される機能等が実行されるよう設定される。一方、情報記録媒体が読取手段の読取可能な位置にない場合にはその情報記録媒体に記録されている機能情報によって特定される機能等は実行されないよう設定される。
【００１３】
また、請求項２にかかる発明は、請求項１にかかる発明の構成において、前記読取手段による読取可能な位置であり、かつ前記情報記録媒体の外観をユーザが視認できる位置に保持する保持手段をさらに具備することを特徴とする。
【００１４】
請求項２にかかる発明によれば、保持手段によってユーザが視認可能な位置であり、かつ読取手段による読取可能な位置に情報記録媒体が保持されるので、かかる保持された情報記録媒体に記録されている機能情報によって特定される機能等が実行されるよう設定される。
【００１５】
また、請求項３にかかる発明は、請求項１または２にかかる発明の構成において、前記情報記録媒体の外面部には、記録している機能情報によって特定される機能または当該機能が属する機能群を識別するための情報が記述されていることを特徴とする。
【００１６】
請求項３にかかる発明によれば、情報記録媒体の外面部にその情報記録媒体に記録されている機能情報によって特定される機能等が記述されているので、ユーザはそれを見ることで容易にその情報記録媒体によって設定される機能等を知ることができる。
【００１７】
また、請求項４にかかる発明は、請求項１または２にかかる発明の構成において、前記情報記録媒体は、記録している機能情報によって特定される機能または当該機能が属する機能群ごとに異なる形状であることを特徴とする。
【００１８】
請求項４にかかる発明によれば、情報記録媒体に記録されている機能情報によって特定される機能等に応じて形状が異なっているので、ユーザはそれを見ることで容易にその情報記録媒体によって設定される機能等を知ることができる。
【００１９】
また、請求項５にかかる発明は、請求項１または２にかかる発明の構成において、前記情報記録媒体は、記録している機能情報によって特定される機能または当該機能が属する機能群ごとに異なる色に着色された部分を有することを特徴とする。
【００２０】
請求項５にかかる発明によれば、情報記録媒体に記録されている機能情報によって特定される機能等ごとに異なる色に着色された部分を有しているので、ユーザはそれを見ることで容易にその情報記録媒体によって設定される機能等を知ることができる。
【００２１】
また、請求項６にかかる発明は、機能設定に関する機能情報を記録した情報記録媒体であって、記録している機能情報によって特定される機能または当該機能が属する機能群ごとに異なる色に着色された部分を有する情報記録媒体と、前記情報記録媒体に記録されている機能情報を読み取る読取手段と、前記読取手段によって読み取られた機能情報に基づいて機能設定を行う設定する設定手段とを具備することを特徴とする機能設定装置である。
【００２２】
請求項６にかかる発明によれば、情報記録媒体に記録されている機能情報に基づいた機能設定がなされ、情報記録媒体はその設定をなす機能等ごとに異なる色に着色された部分を有している。したがって、ユーザは着色された部分の色を見ることで容易にどのような機能等を設定するための情報記録媒体であるかを認識することができる。
【００２３】
また、請求項７にかかる発明は、機能設定に関する機能情報を記録した情報記録媒体であって、記録している機能情報によって特定される機能が属する機能群ごとに異なる形状であり、かつ機能ごとに異なる色に着色された部分を有する情報記録媒体と、前記情報記録媒体に記録されている機能情報を読み取る読取手段と、前記読取手段によって読み取られた機能情報に基づいて機能設定を行う設定手段とを具備することを特徴とする機能設定装置である。
【００２４】
請求項７にかかる発明によれば、情報記録媒体に記録されている機能情報に基づいた機能設定がなされ、情報記録媒体はその設定をなす機能が属する機能群ごとに異なる形状であり、かつ機能ごとに異なる色に着色された部分を有しているので、ユーザは当該情報記録媒体を見ることでどの機能群に属するどの機能についてのものかを容易に認識することができる。
【００２５】
また、請求項８にかかる発明は、機能設定に関する機能情報を記録した情報記録媒体であって、記録している機能情報によって特定される機能が属する機能群ごとに異なる色に着色された部分を有し、かつ機能ごとに異なる形状の情報記録媒体と、前記情報記録媒体に記録されている機能情報を読み取る読取手段と、前記読取手段によって読み取られた機能情報に基づいて機能設定を行う設定手段とを具備することを特徴とする機能設定装置である。
【００２６】
請求項８にかかる発明によれば、情報記録媒体に記録されている機能情報に基づいた機能設定がなされ、情報記録媒体はその設定をなす機能が属する機能群ごとに異なる色に着色された部分を有し、かつ機能ごとに異なる形状であるので、ユーザは当該情報記録媒体を見ることでどの機能群に属するどの機能についてのものかを容易に認識することができる。
【００２７】
また、請求項９にかかる発明は、機能設定に関する機能情報を記録した情報記録媒体であって、記録している機能情報によって特定される機能または当該機能が属する機能群ごとに異なる外観の情報記録媒体と、画像形成動作、画像形成に関連する動作または両者を実行する動作手段と、前記情報記録媒体に記録されている機能情報を読み取る読取手段と、前記読取手段によって読み取られた機能情報によって特定される機能を含む動作が前記動作手段によって実行されるよう設定する手段であって、前記情報記録媒体が前記読取手段による読取可能な位置にある場合に当該情報記録媒体に記録された機能情報によって特定される機能が実行されるよう設定し、前記情報記録媒体が前記読取可能な位置にない場合には当該情報記録媒体に記録された機能情報によって特定される機能が実行されないよう設定する設定手段とを具備することを特徴とする画像形成装置である。
【００２８】
請求項９にかかる発明によれば、読取手段によって読取可能な位置に情報記録媒体がある場合、その情報記録媒体によって記録された機能情報が読み取られ、読み取られた機能情報によって特定される機能等を含む画像形成動作等が実行されるよう設定される。一方、情報記録媒体が読取手段の読取可能な位置にない場合にはその情報記録媒体に記録されている機能情報によって特定される機能等は実行されないよう設定される。
【００２９】
また、請求項１０にかかる発明は、機能設定に関する機能情報を記録した情報記録媒体であって、記録している機能情報によって特定される機能または当該機能が属する機能群ごとに異なる色に着色された部分を有する情報記録媒体と、画像形成動作、画像形成に関連する動作または両者を実行する動作手段と、前記情報記録媒体に記録されている機能情報を読み取る読取手段と、前記読取手段によって読み取られた機能情報によって特定される機能を含む動作が前記動作手段によって実行されるよう設定する設定手段とことを特徴とする画像形成装置である。
【００３０】
請求項１０にかかる発明によれば、情報記録媒体に記録されている機能情報に基づいた機能設定がなされ、情報記録媒体はその設定をなす機能等ごとに異なる色に着色された部分を有している。したがって、ユーザは着色された部分の色を見ることで容易にどのような機能等を設定するための情報記録媒体であるかを認識することができる。
【００３１】
また、請求項１１にかかる発明は、機能設定に関する機能情報を記録した情報記録媒体であって、記録している機能情報によって特定される機能が属する機能群ごとに異なる形状であり、かつ機能ごとに異なる色に着色された部分を有する情報記録媒体と、画像形成動作、画像形成に関連する動作または両者を実行する動作手段と、前記情報記録媒体に記録されている機能情報を読み取る読取手段と、前記読取手段によって読み取られた機能情報によって特定される機能を含む動作が前記動作手段によって実行されるよう設定する設定手段とを具備することを特徴とする画像形成装置である。
【００３２】
請求項１１にかかる発明によれば、情報記録媒体に記録されている機能情報に基づいた機能設定がなされ、情報記録媒体はその設定をなす機能が属する機能群ごとに異なる形状であり、かつ機能ごとに異なる色に着色された部分を有しているので、ユーザは当該情報記録媒体を見ることでどの機能群に属するどの機能についてのものかを容易に認識することができる。
【００３３】
また、請求項１２にかかる発明は、機能設定に関する機能情報を記録した情報記録媒体であって、記録している機能情報によって特定される機能が属する機能群ごとに異なる色に着色された部分を有し、かつ機能ごとに異なる形状の情報記録媒体と、画像形成動作、画像形成に関連する動作または両者を実行する動作手段と、前記情報記録媒体に記録されている機能情報を読み取る読取手段と、前記読取手段によって読み取られた機能情報によって特定される機能を含む動作が前記動作手段によって実行されるよう設定する設定手段とを具備することを特徴とする画像形成装置である。
【００３４】
請求項１２にかかる発明によれば、情報記録媒体に記録されている機能情報に基づいた機能設定がなされ、情報記録媒体はその設定をなす機能が属する機能群ごとに異なる色に着色された部分を有し、かつ機能ごとに異なる形状であるので、ユーザは当該情報記録媒体を見ることでどの機能群に属するどの機能についてのものかを容易に認識することができる。
【００３５】
また、請求項１３にかかる発明は、機能設定に関する機能情報であって、機能設定装置の読取手段によって読取可能な機能情報を記録した情報記録媒体であって、記録している機能情報によって特定される機能または当該機能が属する機能群ごとに異なる色に着色された部分を有する基材部を備えることを特徴とする情報記録媒体である。
【００３６】
請求項１３にかかる発明によれば、その情報記録媒体によって設定することができる機能等ごとに異なる色に着色された部分を有しているので、ユーザは当該情報記録媒体を見ることでどの機能等について設定できるものであるかを容易に認識することができる。
【００３７】
また、請求項１４にかかる発明は、機能設定に関する機能情報であって、機能設定装置の読取手段によって読取可能な機能情報を記録した情報記録媒体であって、記録している機能情報によって特定される機能が属する機能群ごとに異なる形状であり、かつ機能ごとに異なる色に着色された部分を有する基材部を備えることを特徴とする情報記録媒体である。
【００３８】
請求項１４にかかる発明によれば、その情報記録媒体によって設定することができる機能の属する機能群ごとに異なる形状であり、設定できる機能ごとに異なる色に着色された部分を有しているので、ユーザは当該情報記録媒体を見ることでどの機能群に属するどの機能について設定できるものであるかを容易に認識することができる。
【００３９】
また、請求項１５にかかる発明は、機能設定に関する機能情報であって、機能設定装置の読取手段によって読取可能な機能情報を記録した情報記録媒体であって、記録している機能情報によって特定される機能が属する機能群ごとに異なる色に着色された部分を有し、かつ機能ごとに異なる形状の基材部を備えることを特徴とする情報記録媒体である。
【００４０】
請求項１５にかかる発明によれば、その情報記録媒体によって設定することができる機能の属する機能群ごとに異なる色に着色された部分を有し、設定できる機能ごとに異なる形状であるので、ユーザは当該情報記録媒体を見ることでどの機能群に属するどの機能について設定できるものであるかを容易に認識することができる。
【００４１】
【発明の実施の形態】
以下に添付図面を参照して、この発明にかかる機能設定装置、画像形成装置および情報記録媒体の好適な実施の形態を詳細に説明する。
【００４２】
Ａ．全体構成
図１は、本発明の一実施形態にかかる画像形成装置の機能構成を示すブロック図である。同図に示すように、画像形成装置１００は、読取部１１０と、操作部１１１と、制御部１１２と、機能特定用テーブル１１３と、画像形成部１１４と、フィニッシャー１１５とを備えている。
【００４３】
読取部１１０は、当該画像形成装置１００と分離された情報記録媒体１２０に記録されている機能情報を読み取り、読み取った機能情報を制御部１１２に出力する。本実施形態では、情報記録媒体１２０に記録されている機能情報としてその媒体を他の情報記録媒体１２０と識別するための識別情報が記録されており、読取部１１０は当該識別情報を読み取って制御部１１２に出力する。なお、読取部１１０および情報記録媒体１２０の詳細については後述する。
【００４４】
操作部１１１は、ユーザに対して種々の情報を表示する表示パネル、ユーザが種々の指示等を入力するためのボタンなどのインターフェースを有している。操作部１１１は、ユーザによって当該ボタン等が操作されるとその操作内容に応じた操作データを制御部１１２に出力する。また、制御部１１２から供給される表示内容を示すデータにしたがった情報等を表示パネルに表示させる。
【００４５】
画像形成部１１４は、図示せぬ給紙トレイなどに収容された用紙等に画像を形成するためのものであり、本実施形態における画像形成部１１４は電子写真方式の画像形成を行うための構成要素を有しているが、他の方式で画像形成を行うものであってもよい。
【００４６】
また、当該画像形成部１１４は、図示せぬコンタクトガラス上に載置された原稿や自動原稿送り装置によって搬送される原稿を読み取るスキャナ部を有しており、かかるスキャナ部が読み取った原稿画像に基づいた画像を用紙に形成する、つまり複写動作を行うことができるようになっている。
【００４７】
また、画像形成部１１４は、このような画像形成動作を行う際に、制御部１１２によって設定された１または複数の機能を含む画像形成動作を実行する。すなわち、制御部１１２によって拡大／縮小といった変倍設定がなされている場合にはその変倍設定にしたがった画像形成動作を行い、複数部出力するように設定されている場合には設定部数分の複写動作を行うといったように種々の設定内容にしたがった画像形成動作を行う。
【００４８】
フィニッシャー１１５は、上記のように画像形成部１１４によって画像が形成された用紙等をソートしたり、ステープル処理を行ったりする。かかるフィニッシャー１１５も、制御部１１２によって設定された１または複数の機能を含むフィニッシャー動作を実行する。すなわち、制御部１１２によってソートすべき設定がなされている場合には画像形成済み用紙をソートして出力し、用紙の中央を綴じて出力すべきよう設定されている場合には複数の画像形成済み用紙の中央を綴じるといったステープル処理を行うのである。
【００４９】
以上のようにこの画像形成装置１００では、画像形成部１１４やフィニッシャー１１５が制御部１１２による設定内容にしたがった動作を行うようになっているので、ユーザは操作部１１１の操作ボタン等を適宜操作することで、画像形成動作に関する指示（複写開始指示、出力枚数、拡大／縮小、モノクロ／カラー印刷、フィニッシャーによる処理内容など）を入力指定すると、制御部１１２は、当該入力指定にしたがった動作（複写動作など）が行われるよう設定し、これによりユーザが指定した動作が画像形成部１１４やフィニッシャー１１５によって行われる。
【００５０】
また、制御部１１２は、上記のように操作部１１１を介して入力されたユーザの指示にしたがった動作が行われるよう画像形成部１１４やフィニッシャー１１５などの装置各部を制御するとともに、読取部１１０から供給される機能情報、つまり情報記録媒体１２０の識別情報にしたがって画像形成部１１４やフィニッシャー１１５などの動作実行部を制御する。
【００５１】
制御部１１２は、読取部１１０から供給される識別情報に基づいて画像形成部１１４やフィニッシャー１１５に実行させる動作に含める機能を設定する際に、機能特定用テーブル１１３を参照する。
【００５２】
機能特定用テーブル１１３には、識別情報と機能に関する情報と設定状態情報とが対応つけて記憶されている。図示の例では、識別情報「０１」に対応つけて、機能に関する情報「カラー印刷」が記憶されており、識別情報「０２」に対応つけて、機能に関する情報「モノクロ印刷」が記憶されている。そして、これらの機能に関する情報についての現在の設定状態を示す情報が記憶されている。図示の例では、「モノクロ印刷」が現在設定されている状態として記憶されている図中「○」が設定中、「×」が非設定状態を示す。
【００５３】
なお、この他にも識別情報に対応つけて、出力部数、変倍率、フィニッシャーによる処理内容など、当該画像形成装置１００で実現できる種々の機能に関する情報を対応つけることができる。この場合、図示の例にように１つの識別情報に対して１つの機能に関する情報を対応つけるようにしてもよいが、１つの識別情報に複数の機能に関する情報を対応つけるようにしてもよい。
【００５４】
制御部１１２は、このようなデータが記録された機能特定用テーブルを参照し、読取部１１０から供給された識別情報に対応する機能を特定し、これを画像形成部１１４やフィニッシャー１１５に行わせる動作内容として設定する。すなわち、制御部１１２は、画像形成部１１４による画像形成動作や、画像形成に関連する動作（本実施形態では、フィニッシャー動作）についての動作内容を設定するのである。例えば、識別情報「０１」が供給された場合にはこれに対応する機能が「カラー印刷」であると特定し、画像形成部１１４によってカラー印刷が行われるよう設定するのである。なお、制御部１１２によって行われる機能設定処理についての詳細は後述する。
【００５５】
Ｂ．読取部および情報記録媒体
次に、本実施形態における上記読取部１１０および当該読取部１１０によって読み取られる機能情報を記録した情報記録媒体１２０について図２および図３を参照しながら説明する。
【００５６】
同図に示すように、読取部１１０は、電源部１５０と、送信・受信制御部１５１と、アンテナ部１５２と、スイッチ１５３とを有している。読取部１１０では、スイッチ１５３がオンとされた場合に電源部１５０からアンテナ部１５２に電力が供給される。アンテナ部１５２は、コイルおよびコンデンサが並列接続された共振回路によって構成されており、上記のように電力が供給されることで電磁波を発信する。
【００５７】
送信・受信制御部１５１は、スイッチ１５３のオン／オフを設定する制御を行う。すなわち、情報記録媒体１２０に記録された情報を読み取る場合にはスイッチ１５３をオンとするのである。また、送信・受信制御部１５１は、情報記録媒体１２０に記録されている機能情報が読み取られた場合にかかる機能情報を制御部１１２（図１参照）に出力する。
【００５８】
情報記録媒体１２０は、アンテナ部１６０と、電源１６１と、制御部１６２と、メモリ１６３とを有している。アンテナ部１６０はコイルとコンデンサとを並列接続した回路である。電源１６１は、上記のように読取部１１０のアンテナ部１５２から発信される電磁波による電磁誘導で電力を得て充電し、かかる電力によって制御部１６２が駆動されてメモリ１６３に記憶されている情報を読み出してアンテナ部１６０を介して送信する制御を行う。メモリ１６３には、上述したように機能情報として当該情報記録媒体１２０を一意に特定するための識別情報が記憶されている。
【００５９】
上記構成の下、読取部１１０による情報記録媒体１２０に記録された情報の読み取り動作は以下のような手順で行われる。
【００６０】
まず、送信・受信制御部１５１によってスイッチ１５３がオンとされ、アンテナ部１５２に電力が供給される。これによりアンテナ部１５２から電磁波が発信される。
【００６１】
読取部１１０の近傍に情報記録媒体１２０がある場合、上記電磁波による電磁誘導で当該情報記録媒体１２０の電源１６１に電力が供給され、これにより制御部１６２が駆動されてメモリ１６３から機能情報が読み出されて読取部１１０に送信される。
【００６２】
このように情報記録媒体１２０から送信された機能情報である識別情報はアンテナ部１５２によって受信されて送信・受信制御部１５１に供給される。かかる受信信号は送信・受信制御部１５１によってデジタル信号への変換、エラーチェック等の処理がなされた後、識別情報を示す信号が制御部１１２（図１参照）に出力される。
【００６３】
以上のようにして画像形成装置１００の読取部１１０の近傍に情報記録媒体１２０がある場合には、読取部１１０によって当該情報記録媒体１２０のメモリ１６３に記録されている識別情報が読み出され、制御部１１２に供給される。すなわち、本実施形態における読取部１１０は、情報記録媒体１２０に記録されている機能情報である識別情報を非接触で読み取るのである。
【００６４】
また、本実施形態では、情報記録媒体１２０から情報を読み取る読取部１１０として、非接触で読み取りを行うことができるとともに、アンチコリジョン技術を実装した構成のものを用いている。したがって、複数の情報記録媒体１２０が同時に読取部１１０の読取範囲内にある場合であっても、これらの情報記録媒体１２０の各々に記録されている情報をほぼ同時読み取ることができる。
【００６５】
次に、図３を参照しながら読取部１１０と情報記録媒体１２０の外観について説明する。同図に示すように、本実施形態における情報記録媒体１２０は、矩形カード形状の媒体であり、カード形状の基材部１２１を有している。かかる基材部１２１の内部に上記アンテナ部１６０（図２参照）などの構成要素が配置されている。当該基材部１２１の面部１２１ａには、その情報記録媒体１２０によって設定される機能を表示する機能表示欄１２１ｂが設けられている。すなわち、情報記録媒体１２０は、その情報記録媒体１２０を利用して設定される機能ごとに外観が異なっている。
【００６６】
本実施形態では、この機能表示欄１２１ｂにユーザが当該情報記録媒体１２０によって設定される機能名などを記述できるようになっており、図示の例では「カラー印刷」、「Ａ３をＡ４に縮小」といった機能が記述されている。このようにその情報記録媒体１２０によって設定できる機能名を機能表示欄１２１ｂに記述しておくことで、複数の情報記録媒体１２０が用意されている場合であっても、ユーザはそれらの中から所望の機能に応じた情報記録媒体１２０を容易に選択することができる。
【００６７】
また、本実施形態における読取部１１０は、画像形成装置１００の上方側に設けられている。図３に示すように、画像形成装置１００の筐体上面部１００ａには、読取部１１０が情報記録媒体１２０に記録された情報をより確実に読み取ることができる範囲に凹部１０１が設けられている。凹部１０１の底面に「ここにカードを置いてください」といったメッセージが記述されている。凹部１０１は、複数の情報記録媒体１２０を載置して保持することができるような大きさである。
【００６８】
読取部１１０のアンテナ部１５２はこのような凹部１０１の裏面側、つまり筐体内部側に配置されており、凹部１０１内に情報記録媒体１２０が載置された場合に情報記録媒体１２０に記録されている情報を非接触で読み取ることができるようになっている。
【００６９】
Ｃ．動作
次に、上記構成の画像形成装置１００において上記情報記録媒体１２０を用いて機能設定を行うための動作について説明する。上述したように当該画像形成装置１００において１または複数の機能を設定して複写動作等を行う場合には、ユーザは操作部１１１を適宜操作して機能設定を入力する方法と、情報記録媒体１２０を用いて機能設定を行う方法とがあり、以下、情報記録媒体１２０を用いて機能設定を行う場合の動作について図４を参照しながら説明する。
【００７０】
同図に示すように、当該画像形成装置１００に電源が投入されると、制御部１１２は読取部１１０によって情報記録媒体１２０から読み取られた識別情報を取得する（ステップＳａ１）。
【００７１】
ユーザによって１または複数の情報記録媒体１２０が凹部１０１内に載置されている場合には、載置されている情報記録媒体１２０に記録された識別情報が読取部１１０によって読み取られる。したがって、制御部１１２は、その時点で凹部１０１内に載置された情報記録媒体１２０に記録されている識別情報を取得することができる。なお、凹部１０１内に情報記録媒体１２０が載置去れていない場合には、読取部１１０は識別情報を読み取ることができないので、この場合制御部１１２は識別情報を取得することができない。
【００７２】
制御部１１２は、上記取得処理によって１または複数の識別情報が取得されたか否かにかかわらず、取得した識別情報または１つの識別情報も取得していないという状況に基づいて機能特定用テーブル１１３の設定状態情報を更新する（ステップＳａ２）。
【００７３】
より具体的には、制御部１１２は、１または複数の識別情報を取得した場合には、機能特定用テーブル１１３を参照して取得した識別情報に対応する機能を特定し、特定した機能を実現すべき機能として設定する（ステップＳａ２）。つまり、機能特定用テーブル１１３における特定した機能に対応する設定状態情報が非設定状態（×）の場合には、当該設定状態情報を設定状態（○）とする。一方、取得されなかった識別情報に対応する機能については、その機能が設定中であれば設定を解除する。すなわち、原則としてステップＳａ１で取得された識別情報に対応する機能のみが設定中とし、それ以外の機能については非設定とするといった機能特定用テーブル１１３の更新処理を行うのである。
【００７４】
なお、本実施形態では、上記のように識別情報が取得されなかった機能についてすべてを非設定とするわけではなく、同時設定できない機能のグループに含まれる複数の機能のいずれについても設定がなされなかった場合にはデフォルトの機能を設定する。例えば、カラー印刷と、モノクロ印刷といった機能は同時設定できない機能であるが、これらの機能を設定するための識別情報がいずれも取得されなかった場合にはデフォルトの機能（例えばモノクロ印刷）を設定状態とし、カラー印刷を非設定状態とする。
【００７５】
また、同時設定できない機能を設定するための識別情報が複数取得された場合には、制御部１１２は同時設定できない機能を設定するための複数の情報記録媒体１２０が載置されていることを表示パネルに表示させる等してユーザに通知し、いずれかの情報記録媒体１２０を選択して載置するよう促す。
【００７６】
また、このように設定更新を行った場合には、制御部１１２が表示パネルに設定した機能名を表示させたりすることでユーザに設定内容を通知するようにしてもよい。
【００７７】
制御部１１２は、上記のような識別情報の取得処理（ステップＳａ１）と、資設定更新処理（ステップＳａ２）とを繰返し実行しており、これにより情報記録媒体１２０を載置している状態においてはその情報記録媒体１２０に対応する機能は設定された状態となり、情報記録媒体１２０が載置されていない場合にはその情報記録媒体１２０に対応する機能は設定されない。
【００７８】
本実施形態にかかる画像形成装置１００では、以上のような情報記録媒体１２０を利用した機能設定が行われており、ユーザが操作部１１１を介して複写動作等の開始指示を入力すると、制御部１１２はその動作開始指示があった時点で機能特定用テーブル１１３を参照し、その設定状態情報が設定中（○）となっている機能を含む動作が実現されるよう装置各部を制御する。
【００７９】
例えば、ユーザが複写動作の開始を指示した時点で、「カラー印刷」機能を設定するための情報記録媒体１２０と、「Ａ３をＡ４に縮小」機能を設定するための情報記録媒体１２０といったように２つの機能を設定するために情報記録媒体１２０が凹部１０１内に載置されている場合、「カラー印刷」機能と「Ａ３をＡ４に縮小」機能といった２つの機能を含む複写動作が実行される。
【００８０】
以上説明したように本実施形態では、ユーザが画像形成装置１００の上面部１００ａに設けられた凹部１０１内に自己が所望する機能を設定するための情報記録媒体１２０を載置すれば、その機能を含む動作が実行されるよう設定することができる。したがって、多機能を実現することが可能な画像形成装置である場合であっても、その機能選択のための操作が簡易とすることができる。
【００８１】
また、本実施形態では、情報記録媒体１２０を凹部１０１内に載置しておくことで、１度複写動作を行った後でも載置してある情報記録媒体１２０に対応する機能設定状態を維持することができ、複写動作等を行う毎に機能設定を行う必要がなくなる。また、ある機能の設定を解除したい場合には、その機能に対応する情報記録媒体１２０を凹部１０１から取り出せばよく、解除のための操作も容易である。
【００８２】
さらに、画像形成装置１００の上面部１００ａといったユーザの視界に入りやすい部分に設けられた凹部１０１内に情報記録媒体１２０が載置されている場合はその情報記録媒体１２０に対応する機能が設定されている状態であるので、ユーザは凹部１０１内に載置された情報記録媒体１２０の機能表示欄１２１ｂを参照することで、設定状態確認のための特別な操作（表示パネルに表示させるための操作）等を行うことなく現在の設定状態を容易に知ることができる。例えば、図５に示すような状態であれば、ユーザは凹部１０１内に載置された情報記録媒体１２０の機能表示欄１２１ｂを見ることで、「Ａ３をＡ４に縮小する」といった機能が現在設定されていることを知ることができる。
【００８３】
また、ユーザが機能設定のために情報記録媒体１２０を選ぶ際にも、それぞれの情報記録媒体１２０の外観が異なっている、より具体的にはそれぞれの情報記録媒体１２０の機能表示欄１２１ｂにそれぞれの媒体が対応する機能が記述されているので、直接情報記録媒体１２０に触れなくてもどの情報記録媒体１２０がどのような機能を設定するためのものであるかを認識することができる。
【００８４】
また、情報記録媒体１２０を載置する部分を凹部１０１とすることで、振動等が生じた場合であっても凹部１０１内に載置された情報記録媒体１２０がその凹部１０１外に移動してしまうおそれが低減され、より確実に読取部１１０が情報を読み取れる位置に情報記録媒体１２０を保持することができる。
【００８５】
Ｄ．変形例
なお、本発明は、上記実施形態に限定されるものではなく、以下に例示するような種々の変形が可能である。
【００８６】
（変形例１）
上述した実施形態では、情報記録媒体１２０として、その表面に設けられた機能表示欄１２１ｂに各々の媒体が設定する機能名等を記述したものを用いるようにしていたが、これに限らず、各々の情報記録媒体１２０の外観を設定可能な機能ごと異ならせればよい。
【００８７】
例えば、図６に示すように、「カラー印刷」機能設定用の情報記録媒体１２０の形状を三角形板状とし、「モノクロ印刷」機能設定用の情報記録媒体１２０の形状を四角形板状とし、「Ａ３をＡ４に縮小」機能設定用の情報記録媒体１２０を円形板状とするといったように各々の形状を異ならせるようにしてもよい。このように形状を異ならせることで、ユーザは情報記録媒体１２０を見ただけでどの機能を設定するためのものかを認識することができるとともに、視力障害者等であっても情報記録媒体１２０に触れることによって各情報記録媒体１２０によって設定できる機能を認識することができる。
【００８８】
また、このように形状を異ならせる場合であっても、図示のように各情報記録媒体１２０の面部に機能表示欄１２１ｂを設け、かかる機能表示欄１２１ｂに機能名を記述するようにしてもよい。
【００８９】
なお、情報記録媒体１２０の形状は板状に限らず、上記実施形態のように読取部１１０が非接触読み取りを行う構成であれば、球体状、立方体状など任意の形状とすることができる。
【００９０】
（変形例２）
また、上述した実施形態や変形例のように各情報記録媒体１２０の外観を異ならせる以外にも、各情報記録媒体１２０によって設定される機能に応じた色に着色された部分を各情報記録媒体１２０の基材部が有するようにしてもよい。例えば、「カラー印刷」機能設定用の情報記録媒体１２０の基材部はその一部または全部が赤色に着色されており、「モノクロ印刷」機能設定用の情報記録媒体１２０はその一部または全部が黒色に着色されているといった具合である。また、このように１色に着色するのではなく、「カラー印刷」機能設定用の情報記録媒体１２０の一部または全部を複数色（例えば、赤、緑、黄色など）で着色するようにしてもよい。
【００９１】
なお、このように着色する部分を有する情報記録媒体１２０であっても、上記実施形態や変形例のように各々の形状を機能ごとに異ならせたり、機能表示欄１２１ｂを設けて機能を記述するようにしてもよい。この場合、機能表示欄１２１ｂの色を機能に応じて異ならせるようにしてもよい。
【００９２】
また、上記実施形態では、その時点で凹部１０１内、つまり読取部１１０の読取可能な範囲内にある情報記録媒体１２０に対応する機能を設定するようにしていたが、１度情報記録媒体１２０を読取部１１０の読取範囲内の位置にかざせば、その後読取範囲外に情報記録媒体１２０が移動した場合であってもその機能が設定された状態が維持されるようにしてもよく、情報記録媒体１２０に記録されている情報に基づいた機能設定を行うものであればよい。
【００９３】
（変形例３）
また、上述した実施形態では、各情報記録媒体１２０が設定可能な機能名を記述した機能表示欄１２１ｂを有していたが、このような文字等の視認できる情報により機能名を表示する以外にも、点字シールなどを情報記録媒体１２０に貼り付けて機能名を認識できるようにしてもよい。また、点字シールを貼り付ける以外にも情報記録媒体１２０の面部に凹凸を設けて点字を形成するようにしてもよい。
【００９４】
（変形例４）
また、上述した実施形態や変形例では、情報記録媒体１２０が設定する機能ごとに外観（表示、色、形状など）を異ならせるようにしていたが、情報記録媒体１２０が設定できる機能が属する機能群ごとに基材部の外観を異ならせるようにしてもよい。
【００９５】
例えば、モノクロ印刷とカラー印刷といった機能は同時に設定することができない機能であるが、このような同時設定できない複数の機能を１つの機能群とし、同一機能群に属する機能を設定するための情報記録媒体１２０の外観（表示、色、形状など）を同一にするようにしてもよい。例えば、印刷色設定のための機能群に属する「カラー印刷」および「モノクロ印刷」機能設定用の情報記録媒体１２０の基材部は赤色の着色部分を有するようにし、変倍率設定のための機能群に属する「Ａ３をＡ４に縮小」および「Ａ３をＢ５に縮小」機能設定用の情報記録媒体１２０の基材部は青色の着色部分を有するようにするといった具合である。このようにすれば、ユーザが同時設定できない機能の情報記録媒体１２０を複数選んでしまうといった誤った選択を行うことを抑制することができる。従来では、ユーザによって同時設定できない機能の複数について設定指示がなされた場合、そのような設定ができない旨を表示パネル等に表示させて再設定を促すようにしていたが、本変形例のようにすることで誤った選択操作自体を抑制することができる。
【００９６】
なお、図７に示すように、上記のように機能群ごとに色を異ならせるようにするとともに、同一の機能群に属する機能ごとに形状を異ならせるようにしてもよい。例えば、上記のように赤色（図中斜線で示す）の着色部分を有する「カラー印刷」機能設定用の情報記録媒体１２０の基材部を三角形板状とし、同様に赤色（図中斜線で示す）に着色された部分を有する「モノクロ印刷」機能設定用の情報記録媒体１２０の基材部を四角形板状にする。また、変倍率設定のための機能群に属する青色（図中網線で示す）に着色された部分を有する「Ａ３をＡ４に縮小」機能設定用の情報記録媒体１２０の基材部を三角形板状とし、同様に青色に着色された部分を有する「Ａ３をＢ４に縮小」機能設定用の情報記録媒体１２０の基材部を円形板状にするといった具合である。
【００９７】
もちろん、機能群ごとに情報記録媒体１２０の基材部の形状を異ならせ、各機能群に属する機能ごとに色を異ならせるといったようにしてもよい。このようにすれば、情報記録媒体１２０の色または形状により容易に機能群を識別できるとともに、その形状または色によりその機能を識別することができる。
【００９８】
（変形例５）
また、上述した実施形態では、凹部１０１内に載置された情報記録媒体１２０に記録されている情報を読み取ることができるようにしていた。つまり、凹部１０１を読取部１１０の読取可能な位置の範囲内に情報記録媒体１２０を保持する手段として機能させていたが、読取部１１０の読取可能な位置であり、かつユーザが視認可能な位置に情報記録媒体１２０を保持する手段は、凹部１０１以外の他の手段を用いるようにしてもよい。例えば、情報記録媒体１２０を読取部１１０によって確実に読み取ることができる状態で狭持する機構などであってもよい。
【００９９】
（変形例６）
また、上述した実施形態や変形例では、情報記録媒体１２０に記録された情報を読み取る読取部１１０として、電磁誘導を利用して非接触読み取りを行うものを用いるようにしていたが、情報記録媒体に記録された情報の読み取り方法はこのようなものに限らず、接触読み取りを行うものであってもよいし、他の読み取り方式を利用したものであってもよい。
【０１００】
（変形例７）
また、上述した実施形態では、情報記録媒体１２０にその媒体を識別するための識別情報が記録されており、これを取得した画像形成装置の制御部１１２が機能特定用テーブル１１３を参照することで識別情報から機能を特定するようにしていたが、情報記録媒体１２０のメモリ１６３に具体的な機能（カラー印刷、モノクロ印刷など）に関する情報を記録させるようにしてもよい。
【０１０１】
この場合、機能特定用テーブル１１３を用いることなく、情報記録媒体１２０に記録されている具体的な機能に関する情報を取得した制御部１１２がその情報に示される機能を設定することができる。
【０１０２】
（変形例８）
また、上述した実施形態や変形例では、本発明を画像形成装置に搭載した場合について説明していたが、本発明は画像形成装置に限らず、多機能を実現する装置において機能設定を行う機能設定装置に適用することができ、当該機能設定装置情報処理装置などの装置に搭載することができる。
【０１０３】
【発明の効果】
以上説明したように、請求項１にかかる発明によれば、情報記録媒体が読取手段による読取可能な位置にある場合にはその情報記録媒体に対応する機能が設定されるので、そのような位置に情報記録媒体があるか否かを見ることで現在の機能設定を認識することができるという効果を奏する。
【０１０４】
また、請求項２にかかる発明によれば、保持手段によって視認可能な位置に保持されている情報記録媒体に対応する機能が設定されるので、ユーザは容易に現在の機能設定内容を知ることができるという効果を奏する。
【０１０５】
また、請求項３にかかる発明によれば、情報記録媒体の外面部にその情報記録媒体に記録されている機能情報によって特定される機能等が記述されているので、ユーザはそれを見ることで容易にその情報記録媒体によって設定される機能等を知ることができるという効果を奏する。
【０１０６】
また、請求項４にかかる発明によれば、情報記録媒体に記録されている機能情報によって特定される機能等に応じて形状が異なっているので、ユーザはそれを見ることで容易にその情報記録媒体によって設定される機能等を知ることができるという効果を奏する。
【０１０７】
また、請求項５にかかる発明によれば、情報記録媒体に記録されている機能情報によって特定される機能等ごとに異なる色に着色された部分を有しているので、ユーザはそれを見ることで容易にその情報記録媒体によって設定される機能等を知ることができるという効果を奏する。
【０１０８】
また、請求項６にかかる発明によれば、ユーザは着色された部分の色を見ることで容易にどのような機能等を設定するための情報記録媒体であるかを認識することができるという効果を奏する。
【０１０９】
また、請求項７または８にかかる発明によれば、ユーザは当該情報記録媒体を見ることでどの機能群に属するどの機能についてのものかを容易に認識することができるという効果を奏する。
【０１１０】
また、請求項９にかかる発明によれば、情報記録媒体が読取手段による読取可能な位置にある場合にはその情報記録媒体に対応する機能が設定されるので、そのような位置に情報記録媒体があるか否かを見ることで現在の機能設定を認識することができるという効果を奏する。
【０１１１】
また、請求項１０にかかる発明によれば、ユーザは着色された部分の色を見ることで容易にどのような機能等を設定するための情報記録媒体であるかを認識することができるという効果を奏する。
【０１１２】
また、請求項１１または１２にかかる発明によれば、ユーザは当該情報記録媒体を見ることでどの機能群に属するどの機能についてのものかを容易に認識することができるという効果を奏する。
【０１１３】
また、請求項１３にかかる発明によれば、ユーザは当該情報記録媒体を見ることでどの機能等について設定できるものであるかを容易に認識することができるという効果を奏する。
【０１１４】
また、請求項１４または１５にかかる発明によれば、ユーザは当該情報記録媒体を見ることでどの機能群に属するどの機能について設定できるものであるかを容易に認識することができるという効果を奏する。
【図面の簡単な説明】
【図１】本発明の一実施形態にかかる画像形成装置の機能構成を示すブロック図である。
【図２】前記画像形成装置の構成要素である読取部と、読取部によって読み取られる情報を記録した情報記録媒体の構成を示す図である。
【図３】前記情報記録媒体の外観を示す図である。
【図４】前記画像形成装置の制御部による機能設定のための処理手順を示すフローチャートである。
【図５】前記情報記録媒体を利用した機能設定が行われているときの前記画像形成装置の上面部を示す図である。
【図６】本発明の変形例における情報記録媒体の外観を示す図である。
【図７】本発明の他の変形例における情報記録媒体の外観を示す図である。
【符号の説明】
１００  画像形成装置
１００ａ  上面部
１０１  凹部
１１０  読取部
１１１  操作部
１１２  制御部
１１３  機能特定用テーブル
１１４  画像形成部
１１５  フィニッシャー
１２０  情報記録媒体
１２１  基材部
１２１ｂ  機能表示欄
１２１ａ  面部
１５０  電源部
１５１  送信・受信制御部
１５２  アンテナ部
１５３  スイッチ
１６０  アンテナ部
１６１  電源
１６２  制御部
１６３  メモリ
【図１】
2004334043.tif 000003
【図２】
2004334043.tif 000004
【図３】
2004334043.tif 000005
【図４】
2004334043.tif 000006
【図５】
2004334043.tif 000007
【図６】
2004334043.tif 000008
【図７】
2004334043.tif 000009